(57)【特許請求の範囲】
【請求項１】
牽引車両に牽引されて砂地を走行し、砂地に散在するゴミを回収するビーチクリーナーであって、
走行方向に延びる縦部材とそれに直角な幅方向に延びる横部材とによって形成されたフレームを有し、該フレームの前部に設けた被牽引部を介して前記牽引車両によって引っ張られて走行する走行体と、該走行体の前方下部に走行体の幅方向に延長して設けられ、前記走行体の走行中に砂地のゴミを掻き上げる横断面が円形に形成された棒状スクレーパと、該棒状スクレーパの後方において前記走行体に設けられ、棒状スクレーパによって掻き上げられたゴミを補集するゴミ回収体とを備えていることを特徴とするビーチクリーナー。
【請求項２】
牽引車両に牽引されて砂地を走行し、砂地に散在するゴミを回収するビーチクリーナーであって、
走行方向に延びる縦部材とそれに直角な幅方向に延びる横部材とによって形成されたフレームを有し、該フレームの前部に設けた被牽引部を介して前記牽引車両によって引っ張られて走行する走行体と、該走行体の前方下部に走行体の幅方向に延長して設けられ、前記走行体の走行中に砂地のゴミを掻き上げる横断面が半月形に形成され、かつ走行体の走行方向の前方側が後方側より低くなるように傾斜した上面を有する棒状スクレーパと、該棒状スクレーパの後方において前記走行体に設けられ、棒状スクレーパによって掻き上げられたゴミを補集するゴミ回収体とを備えていることを特徴とするビーチクリーナー。
【請求項３】
前記棒状スクレーパは、その上面の傾斜角度が可変になっていることを特徴とする請求項２に記載のビーチクリーナー。
【請求項４】
前記棒状スクレーパは、砂地への入り込み量を調節可能に設けられていることを特徴とする請求項１〜３のいずれかに記載のビーチクリーナー。
【請求項５】
前記フレームには、その少なくとも前方の両側位置に、砂上に接地するスキー状部材が設けられていることを特徴とする請求項１〜４のいずれかに記載のビーチクリーナー。
【請求項６】
前記スキー状部材は、砂地面から前記フレームまでの取付高さを調節可能にして設けられていることを特徴とする請求項５に記載のビーチクリーナー。
【請求項７】
前記ゴミ回収体は、格子状部材に網部材を張接してなることを特徴とする請求項１〜６のいずれかに記載のビーチクリーナー。
【請求項８】
前記ゴミ回収体は、前記走行体に着脱可能に支持されていることを特徴とする請求項１〜７のいずれかに記載のビーチクリーナー。
【発明の詳細な説明】
【０００１】
【発明の属する技術分野】
本発明は、海水浴場等の砂浜に散在する種々のゴミを回収するビーチクリーナに関するものである。
【０００２】
【従来の技術】
海水浴場等の砂浜には、漁網の断片、ロープ、ビニール紐、紙屑、木片、空き缶、瓶、ペットボトルやそのキャップ、たばこの吸い殻等の種々のゴミが散在している。これらのゴミを回収するビーチクリーナーとして、例えば、実開平６−３９０７号公報に記載されたものが知られている。
上記公報に記載されたビーチクリーナーは、牽引式の機体の前方に地表面に沿って水平状に回転する収集体を設け、この収集体で地上に散在している空き缶や紙屑等のゴミを収集し、収集体の両側方に設けた案内板で後方に案内して収集袋に回収するものである。
【０００３】
【発明が解決しようとする課題】
しかし、前記ビーチクリーナーは、機体を牽引する車両の動力により伝動機構を介して収集体を回転させるようになっているため、車両の動力が余分に消費されるばかりでなく、装置の全体構成が複雑になるうえに、重量が嵩み、価格も高くなるという問題があった。また、前記のように構造が複雑になることから、保守、点検作業が複雑になるという問題もあった。
【０００４】
本発明は、上記事情に鑑みてなされたものであって、構成が簡単、軽量であって、安価に製作でき、保守点検も容易な、砂浜に散在する種々のゴミを効率的に回収することができるビーチクリーナーを提供することを目的とする。
【０００５】
【課題を解決するための手段】
本発明は、前記課題を解決するために、以下の点を特徴としている。すなわち、請求項１に係るビーチクリーナーは、牽引車両に牽引されて砂地を走行し、砂地に散在するゴミを回収するビーチクリーナーであって、走行方向に延びる縦部材とそれに直角な幅方向に延びる横部材とによって形成されたフレームを有し、該フレームの前部に設けた被牽引部を介して前記牽引車両によって引っ張られて走行する走行体と、該走行体の前方下部に走行体の幅方向に延長して設けられ、前記走行体の走行中に砂地のゴミを掻き上げる横断面が円形に形成された棒状スクレーパと、該棒状スクレーパの後方において前記走行体に設けられ、棒状スクレーパによって掻き上げられたゴミを補集するゴミ回収体とを備えていることを特徴とする。
【０００６】
前記ビーチクリーナーによれば、牽引車両により牽引されて走行体が砂浜を走行されると、走行体の幅方向に延長して棒状スクレーパが設けられているので、該棒状スクレーパによって砂地の砂が広範囲に掘り起こされ、砂中のゴミが表面のゴミと一緒に砂に伴って効率よく後方へ飛ばされて、ゴミ回収体に確実に捕集される。これにより、砂浜に散在する缶、ペットボトルやその蓋、木片等の比較的小さなゴミの回収作業が効率的に行われる。
【０００７】
また、棒状スクレーパは横断面が円形であるので、砂地中を抵抗少なくして円滑に移動され、砂中のゴミが良好に掘り起こされる。
【０００８】
請求項２に係るビーチクリーナーは、牽引車両に牽引されて砂地を走行し、砂地に散在するゴミを回収するビーチクリーナーであって、走行方向に延びる縦部材とそれに直角な幅方向に延びる横部材とによって形成されたフレームを有し、該フレームの前部に設けた被牽引部を介して前記牽引車両によって引っ張られて走行する走行体と、該走行体の前方下部に走行体の幅方向に延長して設けられ、前記走行体の走行中に砂地のゴミを掻き上げる横断面が半月形に形成され、かつ走行体の走行方向の前方側が後方側より低くなるように傾斜した上面を有する棒状スクレーパと、該棒状スクレーパの後方において前記走行体に設けられ、棒状スクレーパによって掻き上げられたゴミを補集するゴミ回収体とを備えていることを特徴とする。このビーチクリーナーでは、棒状スクレーパの傾斜した上面によって砂地のゴミが良好に掬い上げられて上方の後方へ飛ばされて、的確にゴミ回収体に回収される。
【００１０】
請求項３に係るビーチクリーナーは、請求項２に記載のビーチクリーナーにおいて、棒状スクレーパは、その上面の傾斜角度が可変になっていることを特徴とする。このビーチクリーナーでは、棒状スクレーパの上面の傾斜角度を調節することによってゴミの後方への飛散距離が調節され、ゴミが回収体に効率的に回収される。
【００１１】
請求項４に係るビーチクリーナーは、請求項１〜３のいずれかに記載のビーチクリーナーにおいて、棒状スクレーパは、砂地への入り込み量を調節可能に設けられていることを特徴とする。このビーチクリーナーでは、棒状スクレーパの砂地への入り込み量を調節することによって、砂中のゴミの回収率が調節される。
【００１２】
請求項５に係るビーチクリーナーは、請求項１〜４のいずれかに記載のビーチクリーナーにおいて、フレームには、その少なくとも前方の両側位置に、砂上に接地するスキー状部材が設けられていることを特徴とする。このビーチクリーナーでは、スキー状部材によって、砂地における走行体の走行が円滑に行われると共に、棒状スクレーパの砂地への入り込み量が安定して維持される。
【００１３】
請求項６に係るビーチクリーナーは、請求項５に記載のビーチクリーナーにおいて、スキー状部材は、砂地面からフレームまでの取付高さを調節可能にして設けられていることを特徴とする。このビーチクリーナーでは、スキー状部材によってフレームの砂地面からの取付高さを調節することにより、棒状スクレーパの砂地への入り込み量が適切に調節される。
【００１４】
請求項７に係るビーチクリーナーは、請求項１〜６のいずれかに記載のビーチクリーナーにおいて、ゴミ回収体は、格子状部材に網部材を張設してなることを特徴とする。このビーチクリーナーでは、棒状スクレーパによって砂と一緒に掬い上げられて後方に飛ばされたゴミが、網部材によって砂と分離されて捕集され、効率的に回収体に回収される。
【００１５】
請求項８に係るビーチクリーナーは、請求項７に記載のビーチクリーナーにおいて、ゴミ回収体は走行体に着脱可能に支持されていることを特徴とする。このビーチクリーナーでは、ゴミ回収体の網部材をその網目の大きさの異なるものを複数個用意しておき、それらを交換して使用することによって、ゴミが大きさ、種類等に応じて分別されて回収される。
【００１６】
【発明の実施の形態】
以下、本発明の一実施の形態に係るビーチクリーナーについて、図１〜図６にもとづいて説明する。
この実施の形態に係るビーチクリーナー１は、不整地走行用の３輪または４輪を有するバギー車あるいはトラクタ等の牽引車両Ｒによって牽引されて砂地を走行して、砂地に散在する空き缶等のゴミを回収するものである。
なお、前記ビーチクリーナー１はその幅方向（図１で上下方向、図３で左右方向）の中央を中心にして両側が対称に形成されているので、図１、図３では片側は図示が省略されている。
【００１７】
前記ビーチクリーナー１は、図１〜図３に示すように、平面視で略四角形状をしたフレーム２と該フレーム２の四隅部に配置されて砂地上に接地する前後部のスキー部材３ａ，３ｂを有し、フレーム２の前部に設けた被牽引部４Ａを前記牽引車両Ｒによって引っ張られて走行する走行体４と、該走行体４の前方下部に走行体４の幅方向に延長して設けられ、走行体４の走行中に砂地のゴミを掻き上げる棒状スクレーパ５と、該棒状スクレーパ５の後方において前記走行体４に設けられ、棒状スクレーパ５によって掻き上げられたゴミを補集するゴミ回収体６とを備えている。
【００１８】
前記フレーム２は、前記走行体４の走行方向（図１、図２で左右方向）に延びる両側の縦部材７、７（片側は図示せず）とそれらの中央に配置された縦部材７ａとを、それらの前、後端部においてそれらに直角な幅方向（走行体４の幅方向）に延びる前、後部の横部材８ａ，８ｂに一体に連結して四角形状に形成されている。
前記各縦部材７，７ａは、円筒状部材からなり、前後方向の中央部から後方側が水平部７ｂとされ、中央部から前方側が前記水平部７ｂよりやや低くされた低位水平部７ｃを経て上方に折曲された傾斜部７ｄとされている。
また、前記各横部材８ａ，８ｂは、角筒状部材からなり、それらの両端側近くには上下に貫通して角筒状の支持部材９，１０がそれぞれ固着されている。各支持部材９，１０には、各横部材８ａ，８ｂの上方に位置して横方向に貫通するボルト穴９ａ，１０ａがそれぞれあけられている。
【００１９】
前記前部のスキー状部材３ａは、平面視で前後方向に長い矩形状にされ、側面視で前半部が上方に湾曲した形状に形成され、後半部の水平部３ｃの上面には、横方向に貫通するボルト穴１１ａを有する角筒状の支柱１１が垂直に固定されている。そして、該支柱１１が前記支持部材９に挿入され、前記ボルト穴９ａ，１１ａに挿通したボルト１２とこれにねじ込んだナット１２ａとで支持部材９に固定されることによって、前記前部のスキー状部材３ａが前記フレーム２に取り付けられている（図４参照）。
【００２０】
前記支柱１１のボルト穴１１ａは上下方向に位置をずらして複数設けられており、前記支持部材９のボルト穴９ａに合わせるボルト穴１１ａを換えることにより、前部のスキー状部材３ａは、接地する砂地面からの前記フレーム２の前部の高さ（前部のスキー状部材３ａの砂地面からフレーム２までの取付高さ）が調整可能になっている。
【００２１】
また、前記後部のスキー状部材３ｂは、平面視で円形とされ、外周縁が上方へ円弧状に湾曲された形状に形成されており、上面の中央には前記支柱１１と同様にボルト穴１３ａを設けた角筒状の支柱１３が固定され、該支柱１３が前記支持部材１０に挿入され、ボルト穴１０ａ，１３ａに挿通したボルト１２とこれにねじ込んだナット１２ａとで支持部材１０に固定されることによって、前記後部のスキー状部材３ｂが前記フレーム２の後部に、砂地面からの前記フレーム２の後部の高さ（後部のスキー状部材３ｂの砂地面からフレーム２までの取付高さ）を調整可能にして取り付けられている。
【００２２】
前記フレーム２の前部の横部材８ａには、前端部を該横部材８ａに固着されたパイプからなるスクレーパ固定部材１４が、前記縦部材７，７ａの相互間において、横部材８ａの長さ方向に適宜間隔をあけて複数本設けられている。各スクレーパ固定部材１４は、平面視で前記縦部材７，７ａに平行にされ、側面視で横部材８ａの前記傾斜部７ｄと重なるように傾斜して設けられ、傾斜部７ｄと略同じ長さを有している。
【００２３】
前記各スクレーパ固定部材１４の自由端側と前記縦部材７，７ａの傾斜部７ｄの後方側には、図４、図５に示すように、それぞれ前後に所定間隔をあけて一対の貫通穴１４ａ，１４ａが上下に向けてあけられており、該各貫通穴１４ａ，１４ａに挿通して上端を縦部材７，７ａとスクレーパ固定部材１４から上方へ突出させた円筒部材１５が、該縦部材７，７ａとスクレーパ固定部材１４に溶接等により固着されている。
【００２４】
前記被牽引部４Ａは、前記前部の横部材８ａの中央（フレーム２の幅方向の中央）から左右に振り分けた対称位置に固定した垂直板状の一対の係止金具１６，１６（片方は図示されていない）からなり、各係止金具１６には、上下方向に適宜間隔をあけて複数の貫通穴１６ａが設けられている。
また、前記フレーム２の両側の縦部材７には、それらの前方側位置と中央よりやや後方に寄った位置とに、フレーム２の上方で両側に張り出すようにした２対の腕部１７，１７が固定して設けられている。該腕部１７、１７は、走行体４が後述のゴミステーションＣに移動したときに、該ゴミステーションＣの案内部材３２（図７，図８参照）に乗り上がることによって走行体４を砂地面より上方へ持ち上げるようになっている。
【００２５】
前記棒状スクレーパ５は、横断面が円形（図６（ａ）参照）で前記前部の横部材８ａの長さに略等しい長さを有する上下に所定間隔をあけて設けた一対の棒状部材からなり、前記フレーム２の縦部材７，７ａの傾斜部７ｄと各スクレーパ固定部材１４に取り付けたスクレーパ支持部材１８を介してフレーム２に支持されている。
前記スクレーパ支持部材１８は、図４，図５に示すように、横断面が半円弧状の取付金具１９と、該取付金具１９の下面に垂直（円弧の直径方向）に向けて固着され取付金具１９の長さ方向に沿って延長された平板状の支持板２０と、前記支持板２０に固着され取付金具１９を貫通して支持板２０と反対方向に延長された一対のボルト２１，２１とを備えている。
【００２６】
該各ボルト２１，２１は、Ｕ字ボルトからなり、その底辺部で前記支持板２０に固定され、取付金具１９の長さ方向における間隔が、前記縦部材７，７ａとスクレーパ固定部材１４に固着した円筒部材１５，１５の中心間距離と同じにされている。そして、前記ボルト２１，２１を前記円筒部材１５，１５に下側から挿入してナット２２で締め付けることにより、前記取付金具１９が、その円弧面を前記縦部材７，７ａとスクレーパ固定部材１４の下半部に当接した状態で、縦部材７，７ａとスクレーパ固定部材１４に対して固定されている。
【００２７】
さらに、前記各支持板２０の後端側の位置には、一対の挿通穴２３，２３が、上下に所定間隔をあけて各支持板２０に直交する方向（走行体４の幅方向）に向けて貫通してあけられている。そして、前記棒状スクレーパ５は、前記挿通穴２３，２３に挿通されて各支持板２０に支持されることによって、前記スクレーパ支持部材１８に支持されている。
【００２８】
前記各棒状スクレーパ５の両端部には、各棒状スクレーパ５が支持板２０から抜け出るのを防止するため、割りピン、止めねじ、ナット等からなる抜け止めが施されているが、この抜け止めは、所要時に前記棒状スクレーパ５を支持板２０に対して着脱可能とするものである。
前記棒状スクレーパ５は、前記スクレーパ支持部材１８に上下に配置して２本設けたが、２本に限らず、１本または３本以上設けてもよく、複数本設ける場合は、上下でなく、左右に水平にまたは前側を低くして斜めに配置してもよい。
【００２９】
前記ゴミ回収体６は、前記フレーム２の後半部に載置される、縦、横部材で格子状に形成された矩形状の下枠部材２４と、その両側に沿って立設された側枠部材２５，２５（図１では片側は図示せず）と、下枠部材２４の後端に沿って立設された後部枠部材２６と、前記下枠部材２４と側枠部材２５と後部枠部材２６とに張設された網部材２７とを備えている。
【００３０】
そして、ゴミ回収体６は、前記フレーム２の縦部材７，７ａの低位水平部７ｃに固定されたストッパ２８ａと水平部７ｂの後端部に固定されたストッパ２８ｂとに、前記下枠部材２４の前、後縁が当接することにより、前後方向への移動を阻止され、また、前記フレーム４の後方の腕部１７に左右方向に回動自在に支持した係止部材２９のフック２９ａが、前記各側枠部材２５に引き掛けられることにより、上下、左右に移動するのを阻止されるようになっている。
前記両側枠部材２５にはそれらの前後部にゴミ回収体６を、フレーム２に対して取り外しする際に持ち上げる取っ手３０，３０が側方に張り出して固定されている。
【００３１】
次に、ビーチクリーナー１を砂上に持ち上げる前記ゴミ回収ステーションＣは、図７、図８に示すように、パイプ材からなり水平で互いに平行にして所定間隔をあけて配置された一対の接地部材３１，３１と、各接地部材３１，３１に前後の両端部で固定され垂直に配置されたパイプ材からなる案内部材３２，３２と、各接地部材３１，３１の両端部より内側に寄った位置において該接地部材３１，３１に下方に突出して固定したパイプ材からなる一対のフート部材３３，３３と、前記接地部材３１，３１およびフート部材３３，３３とを相互に連結したパイプ材からなる前後一対の連結部材３４，３４とを備えている。
【００３２】
そして、前記案内部材３２，３２は、その長手方向の中間部が水平状部３２ａ，３２ａとして形成され、その前後端部側が下方に鈍角に折曲されて傾斜した傾斜部３２ｂ，３２ｃとして、前後に対称に形成されている。各案内部材３２，３２の間隔Ｄは、前記ビーチクリーナー１のフレーム２や牽引車両Ｒの幅より大きく、かつ、前記フレーム２の腕部１７，１７に係合する寸法に設定されている。前記案内部材３２の水平状部３２ａは、そこにビーチクリーナー１が乗り上がったとき、ビーチクリーナー１の棒状スクレーパ５が砂上面Ｆから十分に離れる高さ位置に設定されている。
【００３３】
前記各連結部材３４，３４は、それらの中間部で２つに分割されており、該分割部は互いに着脱可能に連結される構造になっており、必要に応じてゴミ回収ステーションＣが２つに分離できるようになっている。
なお、前記接地部材３１と案内部材３２とは、前記フート部材３３および連結部材３４と同じ前後方向の位置において、補強部材３５，３５によって結合されている。
また、ゴミステーションＣには、図７、図８に鎖線で示すように、前記各接地部材３１，３１の前後端部に必要に応じて着脱して使用される端部案内部材３６，３６が設けられる。該端部案内部材３６，３６は、その接地部材３１への着脱部側と反対側が外側に徐々に広がる形状とされている。
【００３４】
次に、前記ビーチクリーナー１やゴミ回収ステーションＣを搭載して運搬するトレーラーＴについて説明する。
トレーラーＴは、左右に一対の車輪３７，３７を備えた車体３８と、該車体３８の前部に設けられ、前記牽引車両Ｒに連結される連結具３９と、前記車体３８状に固定して設けられ、形鋼部材等で箱状に構成された受け台４０とを備えている。前記受け台４０は、その長さが前記ゴミ回収ステーションＣの長さよりやや短くされ、その幅が前記ビーチクリーナー１のフレーム２の幅程度にされ、その前後、左右にはゴミ回収ステーションＣを載せる受け具４１が合計４個固定して設けられている。
【００３５】
各受け具４１は、上面にＶ字状凹部４１ａが形成され、前後のＶ字状凹部４１ａ，４１ａの相互間の距離が前記ゴミ回収ステーションＣの連結部材３４，３４の相互間距離と同一に設定されており、上下を反対にした状態のゴミ回収ステーションＣが、前記連結部材３４，３４を前記前後のＶ字状凹部４１ａ，４１ａにはめて受け台４０に載せられるようになっている。
そして、前記ビーチクリーナー１が、そのフレーム２の前記腕部１７，１７を、受け具４１を介して受け台４０上に載せたゴミ回収ステーションＣの前記接地部材３１，３１に係合させることにより、受け台４０に搭載されるようになっている。
【００３６】
次に、前記構成のビーチクリーナー１の作用について説明する。
先ず、ビーチクリーナー１を、ゴミ回収ステーションＣと一緒に前記トレーラーＴの受け台４０に載せ、該トレーラーＴを牽引車両Ｒで牽引することによりゴミを回収しようとする海水浴場等の砂浜に運搬する。
砂浜の清掃に先だって、図１１に示すように、砂浜の清掃領域Ｓの適当なゴミ回収場所Ｅに、ゴミ回収ステーションＣをトレーラーＴから降ろして砂地上に設置する。
そして、ビーチクリーナー１をその被牽引部４Ａを介して牽引車両Ｒに索条部材Ｊで連結し、清掃領域Ｓの清掃開始地点ｓ１に牽引して移動させた後、そこから砂浜のゴミの回収を開始する。
【００３７】
このゴミ回収時には、牽引車両Ｒによりビーチクリーナー１を牽引して１５〜２５ｋｍ／ｈの速度で、縦方向イとこれに直角な横方向ロのうちの一方向、例えば縦方向イの走路ａを往復して走行させる。このとき、ビーチクリーナー１の棒状スクレーパ５が砂浜の砂地の表層部に挿入されて移動するので、該棒状スクレーパ５により砂が掻き上げられ、砂中に埋もれているゴミが堀起こされ、砂上のゴミと一緒に砂に伴って後方へ飛ばされる。砂と一緒に後方へ飛ばされたゴミは、たばこの吸い殻、ペットボトルやその蓋、空き缶、紙屑等の比較的小さなゴミが混在しているが、いずれも、ビーチクリーナー１のゴミ回収体６の網部材２７上に落下した際、その落下の衝撃等により砂を分離されて網部材２７上に捕集される。ゴミから分離された砂は網部材２７の網目から砂地上に落下される。
【００３８】
ビーチクリーナー１が走路ａの終端まで至ったところで、ビーチクリーナー１をゴミ回収場所Ｅまで移動させる。
そして、ゴミ回収ステーションＣの一対の案内部材３２，３２の間を牽引車両Ｒを低速で通過させると、ビーチクリーナー１が、その走行体４の腕部１７，１７を前記案内部材３２，３２に沿って移動されることにより、砂地面Ｆから持ち上げられるので、水平状に持ち上げられたところで一旦その移動を止める（図７参照）。この間に、前記棒状スクレーパ５に引き掛かっていた紐、ロープ、木片等の比較的長尺のゴミが砂上に自然に落下される。落下したゴミは適宜に集合すると共に、ゴミ回収体６をビーチクリーナー１のフレーム２から取り外して網部材２７に捕集されたゴミを回収する。棒状スクレーパ５に絡みついて自然落下しないゴミがあれば、適宜用具を用いて簡単に掻き落とすことができる。
【００３９】
前記ビーチクリーナー１を縦方向イの走路ａを走行させてゴミの回収が終わった後は、牽引車両Ｒを前進させて前記ゴミ回収ステーションＣからビーチクリーナー１を降ろし、横方向ロの清掃開始地点ｓ２にビーチクリーナー１を着け、そこから走路ｂを往復して走行させ、前記と同様にしてゴミの回収を行う。
なお、ビーチクリーナー１は、縦方向イと横方向ロにおける走路ａ，ｂで往復して走行する際、その折り返し部で清掃の終わっていない側へ横移動するが、その場合の往路と復路との間の距離（ピッチ）は、砂浜の清掃し残しの部分がないようにするため、ビーチクリーナー１の幅に略等しくするのがよい。
ビーチクリーナー１は走路ａ，ｂの途中であっても、ゴミ回収体６にゴミが一杯になれば、ゴミ回収ステーションＣに移動させてゴミを回収することは勿論である。
【００４０】
なお、前記ビーチクリーナー１によるゴミの回収は、通常、走行体の下に突き出した複数のピン部材を有する他のビーチクリーナーを用意し、該他のビーチクリーナーを比較的低速で走行させることによって、前記ピン部材で砂地を掘り起こし、砂地中に埋まっているロープや網等の長尺のゴミを前記ピン部材に引っ掛けて回収した後に行われる。
【００４１】
前記ビーチクリーナー１によれば、走行体４の幅方向に沿ってその全長にわたって棒状スクレーパ５がフレーム２の下部に上下に一対設けられているので、該棒状スクレーパ５によって砂地の砂を広範囲に掘り起こし、砂中のゴミを表面のゴミと一緒に砂に伴って効率よく後方へ飛ばすことができて、ゴミ回収体６の網部材２７に確実に捕集することができる。これにより、砂浜に散在する缶、ペットボトルやその蓋、木片等の比較的小さなゴミの回収作業を効率的に行うことができる。
【００４２】
前記ゴミの回収作業においては、砂地の砂質や乾燥状態等の砂の特性、走行体４の走行速度等に応じて前記棒状スクレーパ５の砂地中への入り込む深さを、前記フレーム２に対する前部のスキー状部材３ａまたは前後部のスキー状部材３ａ，３ｂの取付高さを変えて調節し、これにより、砂と一緒にゴミをゴミ回収体６の網部材２７上に的確に落下させ、効率的にゴミの回収を行うことができる。
【００４３】
前記取付高さの調節は、スキー状部材３ａ，３ｂの支柱１１，１３における高さ方向の異なる位置にあるボルト穴１１ａ，１３ａに対するボルトの挿入する位置を変えることにより行うことができる。両方のスキー状部材３ａ、３ｂの取付高さを調節すると、前記棒状スクレーパ５の砂地中への入り込む深さを細かく調節でき、走行体４の走行抵抗を調節することができる。
前記取付高さの調節に合わせて、牽引車両Ｒと走行体を連結するチェーン、ワイヤー等の索条部材Ｊの、係止金具１６の貫通穴１６ａに対する係止位置を上下に適宜に位置変更するとよい。
【００４４】
しかも、ビーチクリーナー１は、走行体４のフレーム２の下部に棒状スクレーパ５を設けた構成を主体とし、ゴミ回収部にそれを駆動する動力源や動力の伝動装置を備えていないので、全体機構が簡単で小型、軽量化され、製作コストが安価であると共に、故障が少なく、保守点検が容易である。また、走行車両Ｒがゴミ回収部と一体化されていないので、ビーチクリーナー１を使用しない期間中は、走行車両Ｒは他に活用されるため、全体として稼働率の向上が図られ、維持経費が安価に済む。
【００４５】
なお、前記の実施の形態のビーチクリーナー１においては、前記棒状スクレーパ５は、横断面が図６（ａ）に示すように円形に形成されているので、砂地中を抵抗少なくして円滑に移動することができ、砂中のゴミを良好に掘り起こしてゴミ回収体６に回収することができるが、その横断面形状は、円形に限らず、図６（ｂ）に示すように、上面が走行体４の走行方向の前側が低くなるように傾斜した平面５ａを有する半月形とすることができる。このようにすると、走行体４の走行抵抗を大きくすることなく、ゴミを砂と一緒に効果的に後方へ飛ばすことができる。前記半月形以外に、四角、三角、楕円、その他の横断面形状とすることもできる。その場合でも上面の前側が低くなるようにすることが好ましい。
さらに、図６（ｃ）に示すように、横断面円形の棒状スクレーパ５の上部に沿って、前側が低くなるように傾斜した平板５ｂを固着して設けた構成とすることもできる。この構成にすると、棒状スクレーパ５による砂の掬い上げ効果、後方への飛散能力が高まり、一層効率良くゴミの回収ができる。
【００４６】
また、前記の実施の形態のビーチクリーナー１においては、前記棒状スクレーパ５の砂地中への入り込む深さを、前記フレーム２に対する前部のスキー状部材３ａまたは前後部スキー状部材３ａ，３ｂの取付高さを変えて調節して行うようにしたが、これに限らず、前記スクレーパ支持部材１８として、その支持板２０に設ける装着穴２３，２３の上下方向の高さ位置が異なるものを複数用意し、これらを必要に応じて交換して、前記スクレーパ固定部材１４に取り付けるようにしてもよい。
【００４７】
【発明の効果】
以上説明したように、本発明によれば以下の優れた効果を奏する。
請求項１に係るビーチクリーナーによれば、走行体の幅方向に延長して棒状スクレーパが設けられているので、該棒状スクレーパによって砂地の砂を広範囲に掘り起こし、砂中のゴミを表面のゴミと一緒に砂に伴って効率よく後方へ飛ばすことができて、ゴミ回収体に確実に捕集することができる。これにより、砂浜に散在する缶、ペットボトルやその蓋、木片等の比較的小さなゴミの回収作業を効率的に行うことができる。
【００４８】
しかも、走行体に棒状スクレーパを設けた構成を主体とし、ゴミ回収部にそれを駆動する動力源や動力の伝動装置を備えていないので、全体機構を簡単で小型、軽量化することができ、製作コストが安価であると共に、故障が少なく、保守点検を容易にすることができる。また、牽引車両がゴミ回収部と一体化されていないので、ビーチクリーナーを使用しない期間中は、牽引車両は他に活用できるため、全体として稼働率の向上が図られ、維持経費を安価にすることができる。
【００４９】
また、棒状スクレーパは横断面が円形であるので、砂地中を抵抗少なくして円滑に移動することができ、砂中のゴミを良好に掘り起こしてゴミ回収体に回収することができる。請求項２に係るビーチクリーナーによれば、棒状スクレーパの傾斜した上面によって砂地のゴミが良好に掬い上げられて上方の後方へ飛ばされるので、ゴミを的確にゴミ回収体に回収することができる。
【００５０】
請求項３に係るビーチクリーナーによれば、棒状スクレーパの上面の傾斜角度を調節することによってゴミの後方への飛散距離を調節することができ、ゴミを回収体に効率的に回収することができる。請求項４に係るビーチクリーナーによれば、棒状スクレーパの砂地への入り込み量を調節することによって、砂中のゴミの回収率を調節することができる。
【００５１】
請求項５に係るビーチクリーナーによれば、スキー状部材によって、砂地における走行体の走行を円滑に行わせることができると共に、棒状スクレーパの砂地への入り込み量を安定して維持させることができる。請求項６に係るビーチクリーナーによれば、スキー状部材の砂地面からフレームまでの取付高さを調節することにより、棒状スクレーパの砂地への入り込み量を容易、適切に調節することができる。
【００５２】
請求項７に係るビーチクリーナーによれば、棒状スクレーパによって砂と一緒に掬い上げられて後方に飛ばされたゴミを、網部材によって砂と分離して捕集し、効率的にゴミ回収体に回収することができる。請求項８に係るビーチクリーナーによれば、ゴミ回収体の網部材をその網目の大きさの異なるものを複数個用意しておき、それらを交換して使用することによって、ゴミを大きさ、種類等に応じて分別して回収することができる。
【図面の簡単な説明】
【図１】  本発明の一実施の形態に係るビーチクリーナーの平面図である。
【図２】  同じく側面図である。
【図３】  図２のＸ−Ｘ断面図である。
【図４】  図２におけるＡ部の拡大詳細図である。
【図５】  図４のＹ−Ｙ断面図である。
【図６】  棒状スクレーパの横断面形状の例を示す図である。
【図７】  ゴミ回収ステーションのビーチクリーナーの平面図である。
【図８】  同じく図７のｇ矢視図である。
【図９】  ビーチクリーナー用トレーラーの側面図である。
【図１０】  図１０のｈ矢視図である。
【図１１】  砂浜の清掃領域におけるビーチクリーナーの走行経路の説明図である。
【符号の説明】
１  ビーチクリーナー                ２  フレーム
３ａ，３ｂ  スキー状部材            ４  走行体
４Ａ  被牽引部                      ５  棒状スクレーパ
６  ゴミ回収体                      ７，７ａ  縦部材
８ａ，８ｂ  横部材                  ９，１０  支持部材
１１，１３  支柱                    １４  スクレーパ固定部材
１５  円筒部材                      １６  係止金具
１８  スクレーパ支持部材            ２０  支持板
２４  底部枠部材                    ２５  側部枠部材
２６  後部枠部材                    ２７  網部材
Ｃ  ゴミ回収ステーション            Ｒ  牽引車両
【図１】
0004476520.tif 000002
【図２】
0004476520.tif 000003
【図３】
0004476520.tif 000004
【図４】
0004476520.tif 000005
【図５】
0004476520.tif 000006
【図６】
0004476520.tif 000007
【図７】
0004476520.tif 000008
【図８】
0004476520.tif 000009
【図９】
0004476520.tif 000010
【図１０】
0004476520.tif 000011
【図１１】
0004476520.tif 000012